(57)【要約】      （修正有）【課題】本考案はチェーンであり、チェーン素体相互が外れ難く使用に便利であり、牛角により形成され、バッグの把手、吊りバンド、ネックレス等の装身具に使用され、外力によるカケ、破断がし難く、引張、圧縮、ねじり、撓み、歪み等の強度が充分で外気温度による膨張、収縮の差が少なくひび割れも生じず、組織の緻密性が充分で粘りも優れる。【解決手段】正面略長円形をなしたチェーン要素２の長軸方向Ｉの端部２ａ,２ｂに平面略９０度の角度に削った切削面３,３；３,３が設けられたチェーン１であって、チェーン要素が、牛角によりなる基材にて構成され、基材が、複数枚の板材４Ａ,４Ｂ・・・で形成され、そして、複数枚の板材が、繊維方向Ｘ,Ｙを異にして積層されている。【選択図】図１
0003135334.tif 000002
【実用新案登録請求の範囲】
【請求項１】
正面略長円形をなしたチェーン要素の長軸方向の端部に平面略９０度の角度に削った切削面が設けられたチェーンであって、
（イ）前記チェーン要素が、牛角によりなる基材により構成され、
（ロ）該基材が、複数枚の板材で形成され、そして、
（ハ）複数枚の前記板材が、繊維方向を異にして積層されている
ことを特徴とするチェーン。
【請求項２】
複数枚の前記板材の繊維方向が、平面略９０度に配交されることを特徴とする請求項１に記載のチェーン。
【請求項３】
複数枚の前記板材の任意の板材の繊維方向が、その板材の上面および／または下面に配置される他の板材とは平面略９０度に配交されることを特徴とする請求項１，または２に記載のチェーン。
【考案の詳細な説明】
【技術分野】
【０００１】
本考案はチェーンであり、牛角により形成され、例えばバッグの把手、吊りバンド、また、ネックレスのような装身具に使用されるものであり、外力によるカケ、破断がし難く、引張、圧縮、ねじり、撓み、歪み等の強度が充分であり、また、夏期、冬期等における外気温度の影響による膨張、または収縮の差が少なくひび割れも生じにくく、しかも、組織の緻密性が充分であり、粘りも優れたものである。
【背景技術】
【０００２】
従来、プラスチックで形成されるチェーンとして、チェーン要素の上からの端部と下からの端部とが短軸方向にて対向する両側を平面略９０度の角度に削った構成であり、２つのチェーン要素を端部と端部とを直交させることにより、チェーン要素の上からの端部と、下からの端部が互いに９０度の角度をもつので、具合良く嵌り、チェーン要素を連続的に繋げることができる。これを、任意回数繰り返すことにより、チェーンを作ったり、チェーン要素を取外すというものがあった（例えば特許文献１参照。）。
【０００３】
また、天然素材の牛角を車のハンドル、シフトノブ、杖、傘の柄、釦、アクセサリ等、各種工業製品から工芸品、日曜品、身の回り品等の加工方法や製品を得る場合の従来例として、板状又は棒状の基材を複数枚重ね合わせた状態で加熱、加圧処理を行って塊状の製品素材を形成し、この製品素材を角構成成分を含有する成分含有溶液に浸漬して成分補給処理を行うものがあった（例えば特許文献２参照。）。
【特許文献１】実開平６−５１５９３号公報
【特許文献２】特許第３７４９５３６号公報
【考案の開示】
【考案が解決しようとする課題】
【０００４】
しかしながら、特許文献１に記載のプラスチックで形成された上記従来のチェーンは、チェーン要素の上からの端部と下からの端部とが短軸方向にて対向する両側を平面略９０度の角度に削ったプラスチック製のチェーンであり、２つのチェーン要素を端部と端部とを直交させることにより、チェーン要素は連続的に繋げられるものであるため、連続して繋げられたチェーンのチェーン要素相互は長軸方向に移動してその間隔が何らかの原因により狭まると、この移動方向に位置して短軸方向に設けられた２つの端部相互が何らかの原因により一致し、チェーン要素相互の連繋は不用意に連繋が外れ易く、不便であるという欠点があった。
【０００５】
また、特許文献１に記載のプラスチックで形成された上記従来のチェーンは、チェーン素体が多量に成形されるため、廉価に製作される利点があるが、チェーン素体自体、同一のものが多量に製作されるので、デザイン的に変化に乏しく、高級感に欠けるものであった。
【０００６】
また、特許文献２に記載の牛角の加工方法および製品は、牛角よりなる板状又は棒状の基材を繊維方向を何ら考慮することなく、複数枚重ね合わせた状態で加熱、加圧処理を行って形成される塊状の製品素材から製品を製作するものなので、得られる製品は外力によりカケや破断を生じ易く、また、引張、圧縮、ねじり、撓み、歪み等の強度が充分とはいえず、また、夏期、冬期等における外気温度の影響による膨張、または収縮の差が大きくひび割れの原因になり、しかも、組織の緻密さに欠け、粘りもなく脆弱なものであった。
【０００７】
本考案は上記従来の欠点を解決し、チェーン素体相互が外れ難く使用に便利であり、外力によるカケ、破断がし難く、また、引張、圧縮、ねじり、撓み、歪み等の強度が充分であり、しかも、夏期、冬期等の外気温度の影響による膨張、または収縮の差が小さく、ひび割れも少なくなり、そして、組織が緻密であり、粘りも充分で構造堅牢であり、デザイン的に変化があり、高級感を発揮するチェーンを提供することを目的する。
【課題を解決するための手段】
【０００８】
本考案の請求項１に記載の考案は、正面略長円形をなしたチェーン要素の長軸方向の端部に平面略９０度の角度に削った切削面が設けられたチェーンであって、
（イ）前記チェーン要素が、牛角によりなる基材により構成され、
（ロ）該基材が、複数枚の板材で形成され、そして、
（ハ）複数枚の前記板材が、繊維方向を異にして積層されている
ことを特徴とする。
【０００９】
また、本考案の請求項２の考案は、請求項１において、複数枚の前記板材の繊維方向が、平面略９０度に配交されることを特徴とする。
【００１０】
また、本考案の請求項３の考案は、請求項１，または２において、複数枚の前記板材の任意の板材の繊維方向が、その板材の上面および／または下面に配置される他の板材とは平面略９０度に配交されることを特徴とする。
【考案の効果】
【００１１】
本考案の請求項１に記載の考案によれば、正面略長円形をなしたチェーン要素の長軸方向の端部に平面略９０度の角度に削った切削面が設けられたチェーンであるので、チェーン要素を連結するのに、チェーン要素の長軸方向の一側に設けた端部相互を９０度変位した状態で対向させ、そのまま対向する方向に前記端部の両側を平面略９０度の角度に削った切削面相互を噛み合わせながら長軸方向に摺動させ、その後、チェーン要素の何れか一方を他方に対して１８０度反転させることにより、２つのチェーン要素相互を連繋して連続したチェーンを形成するものである。従って、一度連結したチェーン要素が使用時に旧位に不用意に１８０度反転し難く、チェーン要素の端部が整合して不用意に抜け出すのが防止できる。また、チェーン要素が、牛角によりなる複数枚の板材は、その繊維方向を異にして積層されて接合される基材により形成されるため、得られる製品は外力によるカケ、破断がし難く、また、引張、圧縮、ねじり、撓み、歪み等の強度が充分になり、しかも、夏期、冬期等における外気温度の影響による膨張、または収縮の差が小さくひび割れも少なくなり、そして、緻密な組織になり、粘りも充分になる。
【００１２】
また、本考案の請求項２の考案によれば、複数枚の前記板材の繊維方向が、平面略９０度に配交されることを特徴とするので、チェーン要素が、牛角によりなる複数枚の板材を、その繊維方向を平面略９０度に配交されて積層した基材により形成されるため、得られる製品は外力によるカケ、破断がし難く、引張、圧縮、ねじり、撓み、歪み等の強度が充分になり、また、夏期、冬期等における外気温度の影響による膨張、または収縮の差が小さく、ひび割れも少なくなる。そして、緻密な組織になり、粘りも充分になる。
【００１３】
また、本考案の請求項３の考案によれば、複数枚の前記板材の任意の板材の繊維方向が、その板材の上面および／または下面に配置される他の板材とは平面略９０度に配交されることを特徴とするので、チェーン要素が、牛角によりなる複数枚の板材のうち、任意の板材の繊維方向が、その板材の上面および／または下面に配置される他の板材とは、その繊維方向を平面略９０度に配交されて積層し、接合した基材により形成されるため、得られる製品は外力によるカケ、破断がし難く、引張、圧縮、ねじり、撓み、歪み等の強度が充分になり、また、夏期、冬期等における外気温度の影響による膨張、または収縮の差が小さくひび割れも少なくなり、しかも、緻密な組織になり、粘りも充分になる。
【考案を実施するための最良の形態】
【００１４】
以下、図面に従って本考案の実施の最良の形態により、本考案の詳細を説明する。
【００１５】
図１は本考案のチェーンの実施形態を示す正面図、図２は本実施形態のチェーンを構成するチェーン素体を示す正面図、図３は同じく側面図、図４は同じくチェーンを形成するためにチェーン素体相互を組付ける状態の正面図、図５は基材からなるチェーン素体を形成するために繊維方向を異にする板材を積層する状態の斜視図、図６は牛角から繊維方向を異にする板材を切断する場合の説明的な斜視図である。
【００１６】
本実施形態は、正面略長円形をなしたチェーン要素２の長軸方向Ｉの端部２ａ,２ｂに平面略９０度の角度に削った切削面３,３；３,３が設けられたチェーン1であって、前記チェーン要素２が、牛角Ａによりなる基材５により構成され、該基材５が、複数枚の板材４Ａ,４Ｂ・・・で形成され、そして、複数枚の前記板材４Ａ,４Ｂ・・・が、繊維方向Ｘ,Ｙを異にして積層されていることを特徴とする。
【００１７】
このように、チェーン要素２の長軸方向Ｉの一側に前記端部２ａ,２ｂを形成したのは、チェーン要素２,２・・・を連結する場合に、図４に示すように連結すべきチェーン要素２,２相互を長軸回りに９０度変位することによりチェーン要素２,２の長軸方向Ｉの一側に設けた前記端部２ａ,２ｂ；２ａ,２ｂ相互を９０度変位した状態で対向させ、そのまま対向する方向に前記端部２ａ,２ｂ；２ａ,２ｂの両側を平面略９０度の角度に削った切削面３,３相互を噛み合わせながら長軸方向Ｉに摺動させることによりチェーン要素２,２を嵌合し、次いでチェーン要素２,２の何れか一方を他方に対して１８０度反転させてチェーン要素２,２を連結する。このように、チェーン要素２,２を連結するのに、チェーン要素２,２の何れか一方を他方に対して１８０度反転させるのは、一度連結したチェーン要素２,２が使用時に旧位に不用意に１８０度反転し難くし、チェーン要素２,２の前記端部２ａ,２ｂ；２ａ,２ｂが整合して抜け出すのを防止するためである。
【００１８】
また、前記チェーン１は、例えばバッグの把手、バッグの吊りバンド、また、ネックレスのような装身具に使用される。そして、チェーン要素２の大きさは、本実施形態では、例えばバッグの把手に使用するためのチェーン１を形成する場合には、図に示すチェーン要素２の長軸方向Ｉの長さＬ１が、例えば３．０〜３．５ｃｍであり、また、短軸方向Ｒの長さＬ２が、例えば２．５ｃｍ程であり、厚さｔが約５ｍｍ程であるが、これらの数値は例示であり、これに限られない。
【００１９】
図示する本実施形態では、前記基材５が、例えば図５に示すように、上下方向に積層される複数枚、例えば２枚の前記板材４Ａ,４Ｂの繊維方向Ｘ,Ｙが、平面略９０度に交叉して配交される。
【００２０】
すなわち、本実施形態では、板材４Ａ,４Ｂの任意の板材、例えば図５において下側の板材４Ｂの繊維方向Ｙが、その板材４Ｂの上面および／または下面、図示する実施形態では上面に配置される他の板材４Ａの繊維方向Ｘとは平面略９０度に配交して設けられる。
【００２１】
前記牛角Ａとは、この実施形態では、牛科の動物の角を意味し、例えば水牛角、ヤギ角、ヒツジ角を含む。
【００２２】
接合に供される前記板材４Ａ,４Ｂは、牛角Ａの同様部位、例えば図６に示すように牛角Ａの上半部に位置して内部に硬い組織の芯を有する芯持ａ,ａ同士、又は下半部に位置して内部には柔らかい組織の髄が含まれ、硬い組織の芯を有しない芯無ｂ,ｂ同士であり、しかも、例えば内層部、中間層部、外層部等の同層部同士を組み合わせて使用することが、基材５を形成する板材４Ａ,４Ｂの色彩、模様、繊維太さ、繊維質、組織が共通して違和感なく調和するので最適である。また、板材４Ａ,４Ｂに供される牛角Ａから切断された素材は、公知のように、水、または、化学溶液に所望時間浸漬して加熱することにより軟化し、加圧することにより容易に板材４Ａ,４Ｂを得る。
【００２３】
また、板材４Ａ,４Ｂ相互を積層してから接合するのには、例えば、各種合成樹脂接着剤、または、膠が使用される。
【００２４】
本実施形態は以上の構成からなり、正面略長円形をなしたチェーン要素２の長軸方向Ｉの端部２ａ,２ｂに平面略９０度の角度に削った切削面３,３が設けられたチェーン1であるので、チェーン要素２を連結するのに、チェーン要素２の長軸方向Ｉの一側に設けた端部２ａ,２ｂ；２ａ,２ｂ相互を９０度変位した状態で対向させ、そのまま対向する方向に前記端部２ａ,２ｂ；２ａ,２ｂの両側を平面略９０度の角度に削った切削面３,３相互を噛み合わせながら長軸方向Ｉに摺動させる。その後、チェーン要素２の何れか一方を他方に対して１８０度反転させることにより、チェーン要素２相互を連繋して連続したチェーン１が形成される。従って、一度連結したチェーン要素２が使用時に長軸方向Ｉに移動した場合に隣接するチェーン要素２,２相互の端部２ａ,２ｂ；２ａ,２ｂはそのままでは整合することがないのと、しかも、不用意に旧位に１８０度反転し難いのとから、チェーン要素２,２・・・の端部２ａ,２ｂ；２ａ,２ｂが整合して不用意に抜け出すのが防止できる。
【００２５】
また、チェーン要素２が、牛角Ａによりなる複数枚、本実施形態では２枚の板材４Ａ,４Ｂが、例えば平面略９０度に配交されることによりその繊維方向Ｘ,Ｙを異にして積層し、接合された基材５によりチェーン要素２は形成されるので、チェーン要素２を所望個数連結することにより得られる製品としてのチェーン1は外力によるカケ、破断が少なく、また、引張、圧縮、ねじり、撓み、歪み等の強度が充分になる。また、夏期、冬期等における外気温度の影響を受けた場合に、２枚の板材４Ａ,４Ｂの膨張、または収縮が相殺されることによりチェーン要素２全体として膨張、または収縮が少なくなる。そして、膨張、または収縮の差が小さく、ひび割れも少なくなる。
【００２６】
しかも、積層されて接合される２枚の板材４Ａ,４Ｂは、牛角Ａの同様部位、例えば芯持ａ,ａ同士、又は芯無ｂ,ｂ同士であり、しかも、例えば内層部、中間層部、外層部等の同層部同士を組み合わせて使用されるので、２枚の板材４Ａ,４Ｂにおける繊維太さ、繊維質、組織が共通して違和感なく調和するので、チェーン要素２は繊維太さ、繊維質、組織が共通して全体にムラを生ずることなく、平均して緻密になり、粘りも充分になる。また、チェーン要素２自体は、色彩、模様はムラが無いものを容易に得ることができるので、チェーン１自体の色彩、模様を統一化することができるとともに、デザイン的に変化のあるものを容易に得ることができる。
【００２７】
図示する上記実施形態では、基材５が、上下方向に積層される２枚の板材４Ａ,４Ｂの繊維方向Ｘ,Ｙが、平面略９０度に配交される場合につき代表的に説明したが、これは例示であり、図には示さないが、板材の設置枚数は３枚以上の複数枚であっても良く、その増減変更は自由である。この場合には、板材の任意の板材４Ａ,４Ｂ・・・の繊維方向Ｘ,Ｙが、その板材の上面および／または下面に配置される他の板材とは平面略９０度に交叉して設けられるので、図示する実施形態と同様にチェーン要素２が、牛角Ａによりなる複数枚の板材４Ａ,４Ｂ・・・のうち、任意の板材の繊維方向が、その板材の上面および／または下面に配置される他の板材とは、その繊維方向を平面略９０度に配交されて積層し、接合した基材５により形成されるため、得られる製品（チェーン）は外力により、カケ、破断が少なく、また、引張、圧縮、ねじり、撓み、歪み等の強度が一層、充分になる。また、夏期、冬期等における外気温度の影響により、膨張、または収縮の差が一層、小さくなり、ひび割れも少ない。しかも、製作されるチェーン１は、緻密な組織になり、粘りも一層充分になる。
【００２８】
なお、積層される板材４Ａ,４Ｂ・・・の繊維方向Ｘ,Ｙは、前記実施形態では、平面略９０度に配交される場合につき代表的に説明したが、これは例示であり、その増減変更は自由に行える。
【産業上の利用可能性】
【００２９】
本考案はチェーン素体相互が外れ難く使用に便利であり、外力によるカケ、破断がし難く、引張、圧縮、ねじり、撓み、歪み等の強度が充分であり、また、夏期、冬期等の外気温度の影響による膨張、または収縮の差が小さくひび割れも少なくなり、しかも、組織が緻密であり、粘りも充分で構造堅牢であり、デザイン的に変化があり、高級感を発揮するという用途・機能に適する。
【図面の簡単な説明】
【００３０】
【図１】図１は本考案のチェーンの実施形態を示す正面図である。
【図２】図２は本実施形態のチェーンを構成するチェーン素体を示す正面図である。
【図３】図３は同じく側面図である。
【図４】図４は同じくチェーンを形成するためにチェーン素体相互を組付ける状態の正面図である。
【図５】図５は基材からなるチェーン素体を形成するために繊維方向を異にする板材を積層する状態の斜視図である。
【図６】図６は牛角から繊維方向を異にする板材を切断する場合の説明的な斜視図である。
【符号の説明】
【００３１】
１    チェーン
２    チェーン要素
２ａ  端部
２ｂ  端部
３    切断面
４Ａ  板材
４Ｂ  板材
５    基材
Ａ    牛角
【図１】
0003135334.tif 000003
【図２】
0003135334.tif 000004
【図３】
0003135334.tif 000005
【図４】
0003135334.tif 000006
【図５】
0003135334.tif 000007
【図６】
0003135334.tif 000008